(57)【要約】      （修正有）【課題】鼻水を効率よく吸収し、垂れ流れる鼻水を確実に受け止めることができる鼻水吸収部材を提供する。【解決手段】マスク本体の内側に装着される鼻水吸収部材１０であって、所定の厚みと長さと幅を有する略方形の形状を有して、高分子吸水ポリマーから成る鼻水吸着剤２０が表層シート体２１で包含されると共に、裏面に位置する表層シート体２１には装着手段２２が備えられて成り、該装着手段２２を介して当接する鼻孔部を覆うようにマスク本体の内側に装着されて成る手段を採る。【選択図】図１
2020044150.tif 000002
【特許請求の範囲】
【請求項１】
マスク本体の内側に装着される鼻水吸収部材であって、
所定の厚みと長さと幅を有する略方形の形状を有して、高分子吸水ポリマーから成る鼻水吸着剤が表層シート体で包含されると共に、裏面に位置する表層シート体には装着手段が備えられて成り、該装着手段を介して当接する鼻孔部を覆うようにマスク本体の内側に装着されることを特徴とする鼻水吸収部材。
【請求項２】
前記表層シート体と前記装着手段との間に樹脂フィルムを介在させて成ることを特徴とする請求項１に記載の鼻水吸収部材。
【請求項３】
前記表層シート体あるいは前記鼻水吸収部材のいずれか一方若しくは両方に、清涼感を付与する清涼成分が塗布あるいは含浸されて成ることを特徴とする請求項１または請求項２に記載の鼻水吸収部材。
【請求項４】
前記清涼成分と共に香料が塗布あるいは含浸されて成ることを特徴とする請求項３に記載の鼻水吸収部材。
【請求項５】
前記表層シート体あるいは前記鼻水吸収部材に、銀ナノ粒子を担持させて成ることを特徴とする請求項１乃至請求項４のいずれか記載の鼻水吸収部材。
【請求項６】
前記表層シート体の表面に、エンボス加工が施されて成ることを特徴とする請求項１乃至請求項５のいずれか記載の鼻水吸収部材。
【請求項７】
前記鼻水吸収部材の上端辺に、鼻孔から垂れ流れる鼻水を受け止めるための凹部が形成されて成ることを特徴とする請求項１乃至請求項６のいずれか記載の鼻水吸収部材。
【発明の詳細な説明】
【技術分野】
【０００１】
本発明は、鼻水を吸収する部材に関し、詳しくは、垂れ流れる鼻水をマスク本体内において効率よく吸収することができる鼻水吸収部材に関するものである。
【背景技術】
【０００２】
一般的に、花粉症を含むアレルギー性鼻炎や感冒などにかかると、大量の鼻水が分泌して鼻腔を閉塞し、鼻呼吸が困難となるばかりでなく、連続的に垂れ流し状態になることから、日常生活に大きな支障を及ぼすことがしばしばある。
このような垂れ流し状態にある症状に対処するには、病院で支給される処方薬を用いるか、頻繁にティッシュペーパーやハンカチなどを鼻孔に押し当て、流下する鼻水を吸収して処置する術しかなかった。
【０００３】
しかながら、処方薬による副作用を敬遠する志向により、ティッシュペーパーで鼻をかむという方法のみで対処することも多くなっているが、該方法では頻繁に鼻をかむことを要して煩わしいばかりでなく、鼻孔内の皮膚を刺激して炎症を起こす場合も少なくない。
また、ハンカチやティッシュペーパーなどで鼻孔を押える方法は、少なくとも片手が使えなくなるので、日常生活に支障を来すことになる。
一方、ガーゼやマスクを用いる方法は、手を使わなくて済むが、鼻水がガーゼに浸み込んだりすると、マスク内の空気の流通が妨げられて鼻呼吸ができなくなるばかりか、口呼吸も困難になって息苦しくなってくる、といった装着性の問題を解決することができなかった。
【０００４】
従来より、マスクの内側に備えられて流れ出る鼻水を防止することができる「鼻水吸収部材」が数多く提案されている。
例えば、マスク着用中に鼻水が流れ落ちたり、あるいはマスクに付着することを防止することができ、小型で目立ちにくい鼻水吸収パッドを提供することを目的とする「鼻水吸収パッド」（特許文献１参照）が提案され、公知技術となっている。具体的には、使用者の鼻下に接触する鼻下接触面と、鼻下接触面の反対側のマスク裏面接触面を有し、マスク裏面接触面にはマスクの裏面に取り付けるための取付部材が設けられて、鼻孔から出た鼻水を外部に流出させることなく、そのまま吸収することができる提案となっている。
【０００５】
しかしながら、かかる「鼻水吸収パッド」の提案によれば、鼻水を吸収するための吸収材として、変形性等を考慮してアクリル繊維を主体とした混合繊維から成る綿状のものが使用されているため、一度吸収した鼻水の保水性に難があり、すなわち、吸収した鼻水の逆戻り現象（放出現象）が生ずるおそれがある、といった問題があった。
【０００６】
また、鼻水を吸収するとともに、鼻水でマスクが汚れることを抑制する「マスク用の鼻水吸収部材」（特許文献２参照）が提案され、公知技術となっている。具体的には、マスクの装着者の鼻水を吸収するためのマスク用の鼻水吸収部材であって、装着者がマスクを装着したときにマスクの装着者の鼻孔の下に相当する位置に配置され、鼻孔からの鼻水を吸収する吸収性の高い吸収材と、吸収材をマスクに固定するための粘着シートと、を有し、吸収材は、母線が装着者の鼻の幅方向の長さよりも長い円筒形状を有し、粘着シートによりマスクの鼻孔に対向する面に固定される鼻水吸収部材の提案となっている。
【０００７】
しかしながら、かかる「マスク用の鼻水吸収部材」の提案によれば、鼻水を吸収するための吸収材として、円筒状に巻かれたガーゼが使用されているため、上記同様、一度吸収した鼻水の保水性に難があり、すなわち、吸収した鼻水の逆戻り現象（放出現象）が生ずるおそれがある、といった問題があった。
【０００８】
さらに、花粉症や感冒などで鼻水の流出が止まらないときに、既製品のマスクの下に鼻に被せるように装着し、鼻水の流出を防止することにより、鼻をかむ回数を減少させるとともに、マスクの汚れを防止する「鼻水吸収鼻型のインナーパッド」（特許文献３参照）が提案され、公知技術となっている。具体的には、鼻孔部分に吸水性の高い素材を使用し、全体が鼻の表面に沿う形状をした容易に着脱できるインナーパッドを既製品のマスクの下で鼻に被せるように装着し、一定時間鼻水の流出を抑え、鼻をかむ回数を減少させることにより、花粉症や感冒時の不快感を軽減すると共に、マスクの汚れを防止し、さらにインナーパッドのみの交換によりマスク内の衛生を保つことができる提案となっている。
【０００９】
しかしながら、かかる「鼻水吸収鼻型のインナーパッド」の提案によれば、鼻全体を被覆する形態を採用することから、大掛かりな部材となってしまい、しかも、インナーパッドの形状が使用する人によって異なる鼻の形状や大きさに対応することができないため、装着時においての違和感が生じ得る、といった問題があった。
【００１０】
またさらに、鼻腔から分泌される鼻水を、呼吸を妨げることなく連続的に導出し、鼻孔外に設置された鼻水蓄積部に蓄積することによって、呼吸困難や苦痛を緩和し、鼻水処理の煩わしさを軽減することができる「鼻水吸収具」（特許文献４参照）が提案され、公知技術となっている。具体的には、呼吸のための空気の流通を妨げずに鼻水を鼻孔外に導出する鼻水導出部と、導出された鼻水を吸収蓄積する鼻水蓄積部とを有する鼻水吸収具であって、該鼻水導出部は繊維組織体またはスポンジ状多孔質体から形成され、鼻水蓄積部は高吸水性樹脂を含む提案となっている。
【００１１】
しかしながら、かかる「鼻水吸収具」の提案によれば、鼻水吸収具が常に鼻孔を塞ぐ形で装着されるものであるため、息苦しさと違和感が生じることは避けられず、また、人によって異なる鼻孔の大きさに対応することができない、といった問題があった。
【００１２】
本出願人は、以上のような従来から提案されているマスクの内側に装着される鼻水吸収部材において、吸収した鼻水の保持性が図られていない点に着目し、鼻水を効率よく吸収して、大量に垂れ流れる鼻水をマスク本体内にて受け止めることができる鼻水吸収部材を開発し、本発明における「鼻水吸収部材」の提案に至るものである。
【先行技術文献】
【特許文献】
【００１３】
【特許文献１】特開２０１２−１３９４４９号公報
【特許文献２】実用新案登録第３２１３７８５号公報
【特許文献３】実用新案登録第３１４０００７号公報
【特許文献４】特開平８−３１７９４９号公報
【発明の概要】
【発明が解決しようとする課題】
【００１４】
本発明は、上記事情に鑑み、垂れ流れる鼻水をマスク本体内において効率よく吸収することができる鼻水吸収部材を提供することを課題とするものである。
【課題を解決するための手段】
【００１５】
上記課題を解決するため、本発明は、マスク本体の内側に装着される鼻水吸収部材であって、所定の厚みと長さと幅を有する略方形の形状を有して、高分子吸水ポリマーから成る鼻水吸着剤が表層シート体で包含されると共に、裏面に位置する表層シート体には装着手段が備えられて成り、該装着手段を介して当接する鼻孔部を覆うようにマスク本体の内側に装着される手段を採る。
【００１６】
また、本発明は、前記表層シート体と前記装着手段との間に樹脂フィルムを介在させて成る手段を採る。
【００１７】
さらに、本発明は、前記表層シート体あるいは前記鼻水吸収部材のいずれか一方若しくは両方に、清涼感を付与する清涼成分が塗布あるいは含浸されて成る手段を採る。
【００１８】
またさらに、本発明は、前記清涼成分と共に香料が塗布あるいは含浸されて成る手段を採る。
【００１９】
さらにまた、本発明は、前記表層シート体あるいは前記鼻水吸収部材に、銀ナノ粒子を担持させて成る手段を採る。
【００２０】
そしてまた、本発明は、前記表層シート体の表面に、エンボス加工が施されて成る手段を採る。
【００２１】
さらにまた、本発明は、前記鼻水吸収部材の上端辺に、垂れ流れる鼻水を受け止めるための凹部が形成されて成る手段を採る。
【発明の効果】
【００２２】
本発明にかかる鼻水吸収部材によれば、鼻水が確実に受け止められて逆戻りすることなく吸収蓄積されるため、マスクを汚す事がなく常に衛生的な状態が保持される、といった優れた効果を奏する。
【００２３】
また、本発明にかかる鼻水吸収部材によれば、マスクが汚れずに衛生的に保持可能であるため、例えば使い捨てマスクと組み合わせて使用した場合に、該使い捨てマスクの長時間使用に資する、といった優れた効果を奏する。
【００２４】
さらに、本発明にかかる鼻水吸収部材によれば、マスクの内側に隠ぺいした状態で装着されるため、装着状態における外観上の違和感がなく使用することができる、といった優れた効果を奏する。
【００２５】
またさらに、本発明にかかる鼻水吸収部材によれば、マスク内の空気の流通を防ぐことなく鼻呼吸を継続しながら鼻孔内に蓄積する鼻水を呼吸経路外に排除することができると共に、垂れ落ちる鼻水を連続的に吸収蓄積して、呼吸困難や苦痛を緩和し、さらに鼻水処理の煩わしさを大幅に軽減することができる、といった優れた効果を奏する。
【００２６】
さらにまた、本発明にかかる鼻水吸収部材によれば、表層シート体と装着手段との間に樹脂フィルムを介在させることで、鼻水による装着手段の装着力（粘着力）の低下を防止することができると共に、吸収した鼻水がマスク本体へ染み出るのを防止することができる、といった優れた効果を奏する。
【００２７】
そしてまた、本発明にかかる鼻水吸収部材によれば、鼻水吸収部材における表層シート体あるいは汗吸着材のいずれか一方若しくは両方に、清涼感を付与するメントールやエリスリトール、キシリトール等の多糖類から成る清涼成分が塗布あるいは含浸されることによって、常時清涼感が得られることで鼻づまりの緩和に資すると共に、鼻孔周辺の冷感作用ならびに吸熱作用が得られる、といった優れた効果を奏する。
【００２８】
さらにまた、本発明にかかる鼻水吸収部材によれば、清涼成分と共に香料が塗布あるいは含浸されることによって、清涼感や冷感作用、吸熱作用と併せて、心地よい香りを吸引し得ると共に、鼻水の臭いを香料でかき消すこともできる、といった優れた効果を奏する。
【００２９】
またさらに、本発明にかかる鼻水吸収部材によれば、鼻水吸収部材における表層シート体に、銀ナノ粒子を担持させることによって、抗菌作用ならびに消臭作用が得られる、といった優れた効果を奏する。
【００３０】
さらにまた、本発明にかかる鼻水吸収部材によれば、装着手段として粘着テープを使用することによって、衛生マスクや防塵マスクといったマスク本体にワンタッチで安定的に装着できる、といった優れた効果を奏する。
【００３１】
そしてまた、本発明にかかる鼻水吸収部材によれば、鼻水吸収部材の上端辺に鼻水を受け止めるための凹部が形成されていることによって、鼻孔から垂れ流れる鼻水が外部に流れ出すことなく、確実に鼻水吸収部材によって吸収し得る、といった優れた効果を奏する。
【図面の簡単な説明】
【００３２】
【図１】本発明にかかる鼻水吸収部材の実施形態を示す説明図である。（実施例１）
【図２】本発明にかかる鼻水吸収部材の使用態様を示す説明図である。
【図３】本発明にかかる鼻水吸収部材の他の実施形態を示す断面説明図である。（実施例２）
【図４】本発明にかかる鼻水吸収部材の他の実施形態を示す断面説明図である。（実施例３）
【図５】本発明にかかる鼻水吸収部材の他の実施形態を示す断面説明図である。（実施例４）
【図６】本発明にかかる鼻水吸収部材の他の使用態様を示す説明図である。
【図７】本発明にかかる鼻水吸収部材の他の実施形態を示す説明図である。（実施例５）
【発明を実施するための形態】
【００３３】
本発明にかかる鼻水吸収部材１０は、マスク本体Ｍの内側に装着される鼻水吸収部材１０であって、所定の厚みと長さと幅を有する略方形の形状を有して、高分子吸水ポリマーから成る鼻水吸着剤２０が表層シート体２１で包含されると共に、該表層シート体２１の裏面には装着手段２２が備えられて成り、該装着手段２２を介して当接する鼻孔部Ｎを覆うようにマスク本体Ｍの内側に装着される手段を採ったことを最大の特徴とする。
以下、本発明にかかる鼻水吸収部材１０の実施形態を、図面に基づいて説明する。
【００３４】
尚、本発明にかかる鼻水吸収部材１０は、以下に述べる実施例に限定されるものではなく、本発明の技術的思想の範囲内、すなわち同一の作用効果を発揮できる形状や寸法等の範囲内で、適宜変更することができる。
【実施例１】
【００３５】
本発明にかかる鼻水吸収部材１０の第一の実施形態を、図１及び図２に基づき説明する。図1は、本発明にかかる鼻水吸収部材の実施形態を示す説明図であり、（ａ）は全体斜視図、（ｂ）は断面図である。また、図２は、本発明にかかる鼻水吸収部材の使用態様を示す説明図であり、（ａ）は正面図、図（ｂ）は側断面図である。
本発明は、マスク本体Ｍの内側に装着される鼻水吸収部材１０である。
【００３６】
鼻水吸収部材１０は、高分子吸水ポリマーから成る鼻水吸着剤２０と、該鼻水吸着剤２０を包含する表層シート体２１とで構成され、所定の厚みと長さと幅を有する略方形の形状を有し、例えば縦略１〜２ｃｍ、幅略４〜７ｃｍ、厚み略５ｍｍ程度の略方形に形成される。鼻水吸収部材１０の裏側に位置する表層シート体２１には、マスク本体Ｍの内側に装着することができる装着手段２２が備えられており、鼻水吸収部材１０は、該装着手段２２を介して当接する鼻孔部Ｎを覆うようにマスク本体Ｍの内側に装着される
【００３７】
表層シート体２１は、その材質について特に限定はないが、内包する高分子吸水ポリマーの漏出を防止すべく、ポリプロピレン等から成る不織布によって形成されることが好ましい。また、該表層シート体２１について、不織布による二層構造を備えて成形される態様も考え得る。その場合、上層は鼻水Ｓを素早く吸収し且つ逆戻りを防止するため、常に乾燥状態に近い肌触り感覚を得ることができるもので、その材質としてはポリオレフィン素材が好適に採用されるが、その他ポリウレタン系の素材でも構わない。また、下層は鼻水Ｓを素早く且つ多量に吸収する役割を持つもので、その材質としてはレーヨンが好適に採用されるが、その他パルプやＰ Ｅ Ｔ、ウレタン等の素材を採用することもできる。
【００３８】
鼻水吸着剤２０は、ジェルまたは粒子状の高分子吸水ポリマーによって形成されて成る。具体的には、吸水量(吸水倍率)や吸水速度、保水性、徐放性、増粘性、凝集力、耐塩基性、耐候性などの特性に優れたポリアクリル酸ナトリウムを顆粒状またはゼリー状にした高吸水性高分子素材が使用される。
【００３９】
装着手段２２は、鼻水吸収部材１０の裏面に備えられ、具体的には、裏面に位置する表層シート体２１に備えられるもので、該装着手段２２を介してマスク本体Ｍの内側に鼻水吸収部材１０が装着されることとなる。かかる装着手段２２の具体的構成については、特に限定するものではなく、例えばマスク本体Ｍの内側所定箇所に係止可能なフックやボタン等の係止手段や、粘着テープによる貼着手段などが採用可能となる。
【００４０】
尚、装着手段２２について、図示のように、表層シート体２１との間に樹脂フィルム２３を介在させる態様が望ましい。樹脂フィルム２３は、ビニールなど樹脂製のフィルム地から成り、鼻水吸収部材１０の裏面における表層シート体２１に貼着されることで、装着手段２２との間に介在される。該樹脂フィルム２３の形状については、特に限定するものではないが、好ましくは鼻水吸収部材１０の裏面全体を被覆可能な形状であることが望ましい。
【００４１】
以上で構成される本実施形態にかかる鼻水吸収部材１０は、どのような形状のマスク本体Ｍにも容易にワンタッチで貼着することができ、マスクの内側に隠ぺいした状態で装着されるため、装着状態における外観上の違和感がなく、また、着用者の鼻から流れ出る鼻水Ｓを効率的に受け止めて逆戻りすることなく吸収蓄積されるため、マスクを汚す事がなく常に衛生的な状態が保持されることとなる。
【００４２】
さらに、表層シート体２１と装着手段２２との間に樹脂フィルム２３を介在させることで、該樹脂フィルム２３が装着手段２２への鼻水Ｓの流出を遮断することとなって、該装着手段２２の装着力（粘着力）の低下を防止することができると共に、マスク本体Ｍへ鼻水Ｓが染み出るのを防止することができる。
【実施例２】
【００４３】
本発明にかかる鼻水吸収部材１０の第二の実施形態を、図３に基づき説明する。上記実施例１と同様の部分は省略する。図３は、本発明にかかる鼻水吸収部材の実施形態を示す断面図である。
【００４４】
本実施形態にかかる鼻水吸収部材１０は、図３（ａ）に示すように、表層シート体２１あるいは鼻水吸収部材１０のいずれか一方若しくは両方に、清涼感を付与する清涼成分２４が付与された態様を採用する。該清涼成分２４は、表層シート体２１に塗布され、あるいは、鼻水吸収部材１０に含浸されることで、付与される。尚、図面では、鼻水吸収部材１０に清涼成分２４を含浸した場合について示している。
【００４５】
清涼成分２４の詳細は、清涼感を付与し得るものであれば特に限定はないが、例えばメントールを主成分とし、その他エリスリトールやキシリトール等の多糖類が組み合わさって成るものが考え得る。
このように、鼻水吸収部材１０に清涼感を付与することで、常時清涼感が得られることとなって、鼻づまりの緩和に資すると共に、鼻孔周辺の冷感作用ならびに吸熱作用に資することとなる。
【００４６】
また、本実施形態にかかる鼻水吸収部材１０において、図３（ａ）に示すように、上述した清涼成分２４と併せて香料２５が付与された態様を採用し得る。該香料２５は、清涼成分２４と同様、表層シート体２１に塗布され、あるいは、鼻水吸収部材１０に含浸されることで、付与される。尚、図面では、鼻水吸収部材１０に香料２５を含浸した場合について示している。
【００４７】
香料２５の詳細は、特に限定はなく使用者の好みによって適宜決定すれば足りるものであるが、例えば脳を刺激し運動向上能力や集中力が増大することができるとされるコーヒー豆の香りやハーブ等から成る香料２５を採用することが考え得る。
このように、鼻水吸収部材１０に香料２５を付与することで、清涼感や冷感作用、吸熱作用と併せて、心地よい香りを吸引し得ると共に、鼻水Ｓの臭いを香料２５でかき消すことも可能となる。
【００４８】
さらに、本実施形態にかかる鼻水吸収部材１０において、図３（ｂ）に示すように、表層シート体２１あるいは鼻水吸収部材１０に、銀ナノ粒子２６を担持させて成る態様を採用し得る。
銀ナノ粒子２６は、ナノ銀、ナノ純銀などと呼ばれ、その構造としては球形が一般的だが、ひし形や薄いシート構造もよく見られる。また表面積が極端に大きいため多くの配位子がナノ粒子に配位することができる。通常粒径１−１００ｎｍの銀のナノ粒子で構成される。さらにイオンを低い濃度で持続的に放出する性質によって、さまざまな細菌に対して抗菌作用を示すことから、抗菌性コーティング剤などに使用されるものである。
【００４９】
かかる銀ナノ粒子２６を鼻水吸収部材１０における表層シート体２１あるいは鼻水吸収部材１０に担持させることによって、該銀ナノ粒子２６が有する抗菌作用により鼻水Ｓが細菌と反応することを抑え、これにより鼻水Ｓの臭いの発生を抑制することが可能となり、衛生的向上が図られる。
【実施例３】
【００５０】
本発明にかかる鼻水吸収部材１０の第三の実施形態を、図４に基づき説明する。上記実施例１乃至２と同様の部分は省略する。図４は、本発明にかかる鼻水吸収部材の実施形態を示す説明図である。
【００５１】
本実施形態にかかる鼻水吸収部材１０は、図４に示すように、表層シート体２１の表面に、エンボス加工２７が施された態様を採用する。
エンボス加工２７は、表層シート体２１において、プレス加工によって連続する凹凸状に加工されるもので、当該エンボス加工２７による凸部形状については特に限定はなく、図示の様な円形状のほか、四角その他の多角形状や、十字にクロスした形状などが採用し得る。
【００５２】
以上で構成される本実施形態にかかる鼻水吸収部材１０は、鼻水吸収部材１０の表面がエンボス加工２７されることによって、ズレ防止ならびに鼻孔当接部に常時安定した装着感が得られると共に、多量の鼻水Ｓであっても表層シート体２１が着用者の鼻下に張り付くことなく、快適な使用に資することとなる。
【実施例４】
【００５３】
本発明にかかる鼻水吸収部材１０の第四の実施形態を、図５及び図６に基づき説明する。上記実施例１乃至３と同様の部分は省略する。図５は、本発明にかかる鼻水吸収部材の実施形態を示す説明図である。また、図６は、本発明にかかる鼻水吸収部材の使用態様を示す説明図である。
【００５４】
本実施形態にかかる鼻水吸収部材１０は、図示のように、鼻水吸収部材１０の上端辺に、鼻孔部Ｎから垂れ流れる鼻水Ｓを受け止めるための凹部２８が形成されて成る手段を採用するものである。
【００５５】
凹部２８は、鼻水吸収部材１０の上端辺に設けられる窪みであって、鼻孔部Ｎから垂れ流れる鼻水Ｓを受け止めるための貯留部として機能する。該凹部２８の形状については、半月状やＶ溝状など特に限定するものではなく、また、一の上端辺に設けられる凹部２８の数についても特に限定はない。尚、図５（ａ）は一つの半月状の凹部２８を形成した場合、図５（ｂ）は二つ半月状の凹部２８を形成した場合を示している。
【００５６】
以上で構成される本実施形態にかかる鼻水吸収部材１０は、鼻水吸収部材１０の上端辺に、鼻孔部Ｎから垂れ流れる鼻水Ｓを受け止めるための凹部２８が形成されていることによって、該凹部２８が鼻水Ｓの貯留部として機能して、外部に鼻水Ｓが流れ出すことなく確実に受け止めることが可能となる。
【実施例５】
【００５７】
本発明にかかる鼻水吸収部材１０の第五の実施形態を、図７に基づき説明する。上記実施例１乃至４と同様の部分は省略する。図７は、本発明にかかる鼻水吸収部材の実施形態を示す説明図である。
【００５８】
本実施形態にかかる鼻水吸収部材１０は、図７に示すように、各々が別個に包装体Ｂで包装されて成る態様を採用するものである。
包装体Ｂは、鼻水吸収部材１０を包装して衛生的に保つためのものであって、その材質について特に限定はなく、常法の包装態様を採用すれば足りる。尚、図示されているように、鼻水吸収部材１０を内包した状態の包装体Ｂは、破線部等によって切り離し可能に連続して繋がっている態様を採用し得る。
【００５９】
以上で構成される本実施形態にかかる鼻水吸収部材１０は、各々が別個に包装体Ｂで包装されることによって、鼻水吸収部材１０が衛生的に保たれると共に、必要分だけ切り離してバッグに入れて持ち運ぶなど携帯性にも優れた鼻水吸収部材１０を提供するものである。
【産業上の利用可能性】
【００６０】
本発明にかかる鼻水吸収部材は、着用者の鼻孔から流れ出る鼻水を効率的に吸収するだけでなく、どのようなマスク本体にも容易に取り付け取り外しができ、マスク本体の内側にワンタッチで貼着することができると共に、清涼感や芳香感、抗菌性を付与することも可能であって、さらには、垂れ流れる鼻水を確実に受け止めることを可能ならしめるものである。したがって、本発明にかかる「鼻水吸収部材」の産業上の利用可能性は極めて大であるものと思料する。
【符号の説明】
【００６１】
１０    鼻水吸収部材
２０    鼻水吸着剤
２１    表層シート体
２２    装着手段
２３    樹脂フィルム
２４    清涼成分
２５    香料
２６    銀ナノ粒子
２７    エンボス加工
２８    凹部
Ｂ    包装体
Ｍ    マスク本体
Ｎ    鼻孔部
Ｓ    鼻水
【図１】
2020044150.tif 000003
【図２】
2020044150.tif 000004
【図３】
2020044150.tif 000005
【図４】
2020044150.tif 000006
【図５】
2020044150.tif 000007
【図６】
2020044150.tif 000008
【図７】
2020044150.tif 000009
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
マスク本体の内側に装着される鼻水吸収部材であって、
所定の厚みと長さと幅を有する略方形の形状を有して、高分子吸水ポリマーから成る鼻水吸着剤が表層シート体で包含されると共に、裏面に位置する表層シート体には装着手段が備えられ、上端辺に鼻孔から垂れ流れる鼻水を受け止めるための凹部が形成されて成り、該装着手段を介して当接する鼻孔部を覆うようにマスク本体の内側に装着されることを特徴とする鼻水吸収部材。
【請求項２】
前記表層シート体と前記装着手段との間に樹脂フィルムを介在させて成ることを特徴とする請求項１に記載の鼻水吸収部材。
【請求項３】
前記表層シート体あるいは前記鼻水吸収部材のいずれか一方若しくは両方に、清涼感を付与する清涼成分が塗布あるいは含浸されて成ることを特徴とする請求項１または請求項２に記載の鼻水吸収部材。
【請求項４】
前記清涼成分と共に香料が塗布あるいは含浸されて成ることを特徴とする請求項３に記載の鼻水吸収部材。
【請求項５】
前記表層シート体あるいは前記鼻水吸収部材に、銀ナノ粒子を担持させて成ることを特徴とする請求項１乃至請求項４のいずれか記載の鼻水吸収部材。
【請求項６】
前記表層シート体の表面に、エンボス加工が施されて成ることを特徴とする請求項１乃至請求項５のいずれか記載の鼻水吸収部材。
【手続補正２】
【補正対象書類名】明細書
【補正対象項目名】００３２
【補正方法】変更
【補正の内容】
【００３２】
【図１】本発明にかかる鼻水吸収部材の実施形態を示す説明図である。（実施例１）
【図２】本発明にかかる鼻水吸収部材の使用態様を示す説明図である。
【図３】本発明にかかる鼻水吸収部材の他の実施形態を示す断面説明図である。（実施例２）
【図４】本発明にかかる鼻水吸収部材の他の実施形態を示す断面説明図である。（実施例３）
【図５】本発明にかかる鼻水吸収部材の他の実施形態を示す説明図である。（実施例５）
【手続補正３】
【補正対象書類名】明細書
【補正対象項目名】００３６
【補正方法】変更
【補正の内容】
【００３６】
鼻水吸収部材１０は、高分子吸水ポリマーから成る鼻水吸着剤２０と、該鼻水吸着剤２０を包含する表層シート体２１とで構成され、所定の厚みと長さと幅を有する略方形の形状を有し、例えば縦略１〜２ｃｍ、幅略４〜７ｃｍ、厚み略５ｍｍ程度の略方形に形成される。鼻水吸収部材１０の裏側に位置する表層シート体２１には、マスク本体Ｍの内側に装着することができる装着手段２２が備えられており、鼻水吸収部材１０は、該装着手段２２を介して当接する鼻孔部Ｎを覆うようにマスク本体Ｍの内側に装着される。
鼻水吸収部材１０の上端辺には、鼻孔部Ｎから垂れ流れる鼻水Ｓを受け止めるための凹部２８が形成されて成る。
凹部２８は、鼻水吸収部材１０の上端辺に設けられる窪みであって、鼻孔部Ｎから垂れ流れる鼻水Ｓを受け止めるための貯留部として機能する。該凹部２８の形状については、半月状やＶ溝状など特に限定するものではなく、また、一の上端辺に設けられる凹部２８の数についても特に限定はない。尚、図面では、一つの半月状の凹部２８を形成した場合と、二つ半月状の凹部２８を形成した場合を示している。
【手続補正４】
【補正対象書類名】明細書
【補正対象項目名】００４１
【補正方法】変更
【補正の内容】
【００４１】
以上で構成される本実施形態にかかる鼻水吸収部材１０は、どのような形状のマスク本体Ｍにも容易にワンタッチで貼着することができ、マスクの内側に隠ぺいした状態で装着されるため、装着状態における外観上の違和感がなく、また、着用者の鼻から流れ出る鼻水Ｓを効率的に受け止めて逆戻りすることなく吸収蓄積されるため、マスクを汚す事がなく常に衛生的な状態が保持されることとなる。
また、鼻水吸収部材１０の上端辺に、鼻孔部Ｎから垂れ流れる鼻水Ｓを受け止めるための凹部２８が形成されていることによって、該凹部２８が鼻水Ｓの貯留部として機能して、外部に鼻水Ｓが流れ出すことなく確実に受け止めることが可能となる。
【手続補正５】
【補正対象書類名】図面
【補正対象項目名】全図
【補正方法】変更
【補正の内容】
【図１】
2020044150.tif 000010
【図２】
2020044150.tif 000011
【図３】
2020044150.tif 000012
【図４】
2020044150.tif 000013
【図５】
2020044150.tif 000014